(57)【特許請求の範囲】
【請求項１】
相互にされた複数の内線接続口(11b)と、公衆通信回線に接続する外線接続口(11a)と、内部配線(12a)によりこの外線接続口に常時接続された外線側カスケード機器接続口(11aA)と、前記内線接続口と前記外線接続口とを接続する接続ライン(21)と、この接続ラインを遮断する開閉スイッチ(20)とを備えた、電話機接続装置。
【請求項２】
内線側カスケード機器接続口(11cA)と、内部配線(12c)によりこの内線側カスケード機器接続口に接続された第２の外線側カスケード機器接続口(11cB)とを備えた、請求項１記載の電話機接続装置。
【請求項３】
前記内線接続口と前記内線側カスケード機器接続口とを接続する第２の接続ライン(31)と、この第２の接続ラインを遮断する第２の開閉スイッチ(30)とを備えた、請求項２記載の電話機接続装置。
【発明の詳細な説明】
【技術分野】
【０００１】
この発明は、住宅内の複数の箇所で電話機を使用可能にするのに用いる電話機接続装置に関するものである。
【背景技術】
【０００２】
住宅内の複数箇所で電話機を使用可能にするには、使用が予想される箇所に電話機接続口（モジュラジャック）を備えた通信コンセントを配置し、先行配線によってそれらの電話機接続口を例えばバス接続して保安器を介して当該住宅に引き込まれている電話回線に接続しておけばよい。予めこのような通信コンセントと先行配線を設けておけば、所望の箇所に設置した電話機を近くにある通信コンセントの電話機接続口に接続することにより、その電話機で直ちに外線通話を行うことができる。
【０００３】
パソコンの普及に伴い、音声信号（電話機用の信号を言う。以下同じ。）を伝送するために加入者宅に引き込まれている電話線（以下、「引込電話線」という。）を用いてパソコン等（パソコンやその出力信号によって制御される機器）で用いるデータ信号を送受信する技術が発展してきた。その技術の一つに、音声信号とデータ信号とを畳重して１本（一対）の引込電話線で送受信する方法がある。この方法を利用するときは、引込電話線を通して送られてきた畳重信号を音声信号とデータ信号に分離し、また送信の際には、音声信号とデータ信号を畳重するための、周波数フィルタやスプリッタと呼ばれる装置（以下、「スプリッタ」と言う。）を接続する必要がある。
【０００４】
スプリッタは、保安器を介して引込電話線に接続する外線ポートと、電話機に接続する音声ポート（ＡＴポート）と、パソコンなどに接続するデータポート（ＳＴポート）とを備えている。電話機による通話のみを利用していた加入者が上記方法を利用して電話機による通話とパソコン等によるデータ通信との両者を利用するときは、引込電話線の引込口近くに前記スプリッタを設置し、保安器に接続されていた電話機用の先行配線をスプリッタの音声ポートに繋ぎ直さなければならない。下記特許文献１には、引込電話線に接続された端子を電話機を接続する端子とスプリッタを接続する端子とに切り換える切換スイッチを設けて、上記の繋ぎ直し作業を行う技術が開示されている。
【０００５】
一方、住宅や居住者の安全のために火災報知器が作動したり、非常装置や監視カメラが異常を検出したときに、公衆電話回線で繋がれた管理者の端末に自動的に異常検出信号を送るセキュリティ装置が設置されるようになってきている。この種のセキュリティ装置は、異常検出信号を電話機で用いるのと同種の低周波信号（４ｋＨｚ以下）にして送信しており、一般的なセキュリティ装置は、引込電話線と屋内の電話機との間に直列接続（カスケード接続）する構造となっている。このような構造のセキュリティ装置は、前記スプリッタを設けたときは、スプリッタと電話機との間に直列接続する必要がある。
【特許文献１】特開２００５−３１８３０２号公報
【発明の開示】
【発明が解決しようとする課題】
【０００６】
スプリッタを設置してデータ通信を利用するかどうか、セキュリティ装置を設置して管理者によるセキュリティサービスを利用するかどうかは、居住者が任意に選択する事項であり、また居住後にその選択が変更される可能性のある事項である。すなわち、住宅内に配置された複数の電話機用の先行配線（宅内電話線）が直接保安器を介して引込電話線に接続される場合と、スプリッタのみを介して接続される場合と、セキュリティ装置のみを介して接続される場合と、スプリッタとセキュリティ装置との両方を介して接続される場合との、４通りの接続形態のいずれかが居住者によって選択される可能性があり、またその選択が変更される可能性がある。そして、その選択や変更の際には、宅内の電話配線と引込電話線との接続換え作業が必要である。前記特許文献１に開示された技術は、宅内電話配線が直接保安器に接続される場合とスプリッタを介して接続される場合との間での接続換え作業を簡単な操作でできるようにしたものであるが、セキュリティ装置を介した配線換えには対応できない。
【０００７】
この発明は、複数の電話機用配線を直接保安器に接続する場合、スプリッタのみを介して接続する場合、セキュリティ装置のみを介して接続する場合及びスプリッタとセキュリティ装置の両者を介して接続する場合のいずれの接続態様にも対応でき、かつこれらの間での接続態様の変更の際の宅内電話配線の接続換え作業も容易に行うことが可能な電話機接続装置を提供することを課題としている。
【課題を解決するための手段】
【０００８】
本願の請求項１の発明は、相互に接続された複数の内線接続口１１ｂと、公衆通信回線に接続する外線接続口１１ａと、内部配線１２ａによりこの外線接続口に接続された外線側カスケード機器接続口１１ａＡと、前記内線接続口と前記外線接続口とを接続する接続ライン２１と、この接続ラインを遮断する開閉スイッチ２０とを備えた電話機接続装置を提供することにより、上記課題を解決したものである。
【０００９】
本願の請求項２に記載の、より好ましい構成の電話機接続装置は、上記の構成に加えて、内線側カスケード機器接続口１１ｃＡと、内部配線１２ｃによりこの内線側カスケード機器接続口に接続された第２の外線側カスケード機器接続口１１ｃＢとを備えている。
【００１０】
住宅内に設置した複数の通信コンセント４の電話機接続口４ｔに接続した宅内電話線６のそれぞれは、複数設けられている内線接続口１１ｂにそれぞれ接続する。外線接続口１１ａは、保安器３を介して引込電話線２に接続する。データ通信及びセキュリティサービスのいずれも利用しないときは、スプリッタ７及びセキュリティ装置８は共に接続されず、開閉スイッチ２０を閉成（導通）することにより、複数の宅内電話線６がすべて引込電話線２に接続されるので、いずれかの通信コンセント４に接続した電話機から外線通話を行うことができる。
【００１１】
データ信号を音声信号に畳重する方式のデータ通信のみを利用するときは、開閉スイッチ２０を開成（遮断）し、スプリッタ７の外線ポート７ｌを外線側カスケード機器接続口１１ａＡに接続し、音声ポート７ｔを内線接続口１１ｂの１つに接続する。また、セキュリティサービスのみを利用するときは、開閉スイッチ２０を開成し、セキュリティ装置８の外線ポート８ｌを外線側カスケード機器接続口１１ａＡに接続し、内線ポート８ｔを内線接続口１１ｂの１つに接続する。
【００１２】
データ通信の利用を止めるときは、スプリッタ７をそのまま接続したまま又はスプリッタ７を外して開閉スイッチ２０を閉成する。セキュリティサービスの利用を止めるときは、開閉スイッチ２０を閉成すればよい。
【００１３】
データ通信とセキュリティサービスを共に利用するときは、請求項２の構造のものを用いるのが好ましく、この場合には開閉スイッチ２０を開成し、スプリッタ７の外線ポート７ｌを外線側カスケード機器接続口１１ａＡに接続し、音声ポート７ｔを内線側カスケード機器接続口１１ｃＡに接続する。そしてセキュリティ装置８の外線ポート８ｌを第２の外線側カスケード機器接続口１１ｃＢに接続し、内線ポート８ｔを内線接続口１１ｂの１個に接続する。内線側カスケード機器接続口１１ｃＡ及び第２の外線側カスケード機器接続口１１ｃＢを有しない接続装置を用いるときは、スプリッタ７の音声ポート７ｔと、セキュリティ装置８の外線ポート８ｌとを他のケーブルで接続し、当該スプリッタの外線ポート７ｌを外線側カスケード機器接続口１１ａＡに接続し、セキュリティ装置８の内線ポート８ｔを内線接続口１１ｂの１個に接続する。
【００１４】
セキュリティ装置８は、セキュリティサービスの利用を止めたときは、取り外されることが多く、またシステムのメンテナンスのために取り外す必要が生ずることがある。この際のセキュリティ装置の着脱の面倒を省くために、外線ポート８ｌと内線ポート８ｔの短絡スイッチを備えた装置もあるが、そうでないときは、そのたびにセキュリティ装置８を取り外してスプリッタの音声ポート７ｔを内線側カスケード機器接続口１１ｃＡから内線接続口１１ｂに接続換えしなければならない。
【００１５】
本願の請求項３の発明に係る電話機接続装置は、この面倒を解消したもので、上記請求項２の構成を備えた電話機接続装置において、前記内線接続口と前記内線側カスケード機器接続口とを接続する第２の接続ライン３１と、この第２の接続ラインを遮断する第２の開閉スイッチ３０とを備えていることを特徴とするものである。
【００１６】
上記請求項３の発明によれば、セキュリティ装置８を切り離したいときは、第２の開閉スイッチ３０を閉成してやればよく、またセキュリティサービスの利用を止めてセキュリティ装置８を取り外したときに、第２の開閉スイッチ３０を閉成してやれば、スプリッタ７の音声ポート７ｔの接続換えをする必要もなくなる。
【発明の効果】
【００１７】
この発明によれば、住宅の複数箇所に電話機を接続する通信コンセントを備えた宅内電話配線において、データ信号を音声信号に畳重する方式によるデータ通信を利用する場合、およびセキュリティサービスを利用する場合に、これらを利用しない場合と、それらのいずれか１つを利用する場合と、両方を利用する場合とのいずれの場合においても、またその利用の組合せを変更する場合においても、それらの利用に必要な機器の接続及び宅内電話配線の接続換え作業を容易に行うことができるという効果がある。
【発明を実施するための最良の形態】
【００１８】
以下、図面を参照してこの発明の実施形態を説明する。図１は、この発明の電話機接続装置を含む宅内電話配線の全体を示すブロック図で、１はこの発明の電話機接続装置、２は引込電話線、３は保安器、４は住宅内の電話機が設置される可能性のある箇所に設置した通信コンセント、６は各通信コンセントの電話機接続口４ｔと電話機接続装置１とを接続する先行配線（宅内電話線）、７はデータ通信を利用する際に使用するスプリッタ、８はセキュリティサービスを利用する際に使用するセキュリティ装置である。引込電話線２に音声信号とデータ信号とを畳重する方式のデータ通信を利用するときは、電話機接続装置１にスプリッタ７が接続され、また公衆電話回線を通じてセキュリティ管理者に異常を通報するセキュリティサービスを利用するときは、セキュリティ装置８が電話機接続装置１に接続される。
【００１９】
図２は電話機接続装置１の第１実施例を示した図である。図中、１０ａは２個のコネクタ１１ａを備えた２口の外線接続板で、２個のコネクタ１１ａの同一接点同士が内部配線１２ａで接続されている。１０ｂは４個のコネクタ１１ｂを備えた４口の接続板２枚からなる内線接続板で、それらの計８個のコネクタ１１ｂの同一接点同士が内部配線１２ｂで互いに接続されて、それらのコネクタ１１ｂの１個が内線側カスケード機器接続口１１ｂＡとされ、残りが宅内電話線６に接続される内線接続口となっている。２０は開閉スイッチで、外線接続板の内部配線１２ａと内線接続板の内部配線１２ｂとを繋ぐ接続ライン２１に介装されて、この接続ライン２１を開閉するものである。外線接続板のコネクタ１１ａは、そのいずれか一方が外線接続口とされてケーブル１８で保安器３に接続され、他の１個が外線側カスケード機器接続口１１ａＡとなっている。１０ｃは２口のコネクタ１１ｃを備えた中間接続板で、その２つのコネクタ１１ｃの同一の接点同士が内部配線１２ｃで接続されている。中間接続板の２口のコネクタ１１ｃは、そのいずれか一方が内線側カスケード機器接続口１１ｃＡとされ、他の一方が第２の外線側カスケード機器接続口１１ｃＢとなっている。
【００２０】
通信コンセント４として電話機接続口４ｔと、パソコンなどを接続するデジタル機器接続口４ｄとを有するものを用いたときは、デジタル機器接続口４ｄに接続したＬＡＮ用の宅内ケーブルをスプリッタ７のデータポートに接続されるモデム２８の設置予定箇所に先行配線しておく。
【００２１】
データ通信及びセキュリティサービスのいずれも利用しないときは、開閉スイッチ２０を閉成して接続ライン２１を導通させる。データ通信のみを利用するときは、開閉スイッチ２０をオフにして接続ライン２１を遮断し、スプリッタ７の外線ポート７ｌに接続したケーブル１８を外線接続板１０ａの外線側カスケード機器接続口１１ａＡに繋ぎ、音声ポート７ｔに接続したケーブル１８を内線接続板のコネクタ１１ｂの１個に接続する。
【００２２】
セキュリティサービスのみを利用するときは、セキュリティ装置８の外線ポート８ｌをケーブル１８で外線接続板の外線側カスケード機器接続口１１ａＡに繋ぎ、内線ポート８ｔをケーブル１８で内線接続板のコネクタ１１ｂの１個に繋ぐ。
【００２３】
また、データ通信とセキュリティサービスの両方を利用するときは、開閉スイッチ２０を開成した状態でスプリッタ７の外線ポート７ｌをケーブル１８で外線接続板の外線側カスケード機器接続口１１ａＡに繋ぎ、音声ポート７ｔをケーブル１８で中間接続板１０ｃのコネクタの１個１１ｃＡに接続する。そして、セキュリティ装置８の外線ポート８ｌをケーブル１８で中間接続板１０ｃの残りのコネクタ１１ｃＢに繋ぎ、内線ポート８ｔをケーブル１８で内線接続板のコネクタの１個１１ｂＡに接続する。
【００２４】
セキュリティ装置８は、セキュリティシステムのメンテナンスなどのために電話配線から切り離したい場合がある。このことを考慮した電話機接続装置の第２実施例が図３に示されている。図中、図２の第１実施例と同一の機器には同一の符号が付されている。以下、第１実施例と異なる部分のみを説明する。
【００２５】
図３の装置では、内線接続板１０ｂが左右に分割され、その左右のもののコネクタ１１ｂ相互は、図１で説明したと同様な内部配線１２ｂで接続されており、図の左右の接続板相互は、両端にプラグを備えたパッチコード１９を左右の接続板のコネクタ１１ｂの１個に接続することによって接続されている。
【００２６】
第２実施例の装置の重要な特徴は、中間接続板１０ｃの内部配線１２ｃが第２の開閉スイッチ３０を介装した第２の接続ライン３１で内線接続板の内部配線１２ｂに接続されていることである。前述したように、データ通信とセキュリティサービスを共に利用するときは、スプリッタ７が外線接続板１０ａと中間接続板１０ｃとの間に接続され、セキュリティ装置８が中間接続板１０ｃと内線接続板１０ｂとの間に接続されるが、このとき第２の開閉スイッチ３０は開成されている。この状態でセキュリティ装置８を切り離したいときは、第２の開閉スイッチ３０を閉成して、中間接続板１０ｃと内線接続板１０ｂとを短絡してやればよい。また、セキュリティサービスのみを利用するときは、セキュリティ装置８の外線ポート８ｌを外線接続板１０ａに接続し、内線ポート８ｔを中間接続板１０ｃに接続して、第２の開閉スイッチ３０を閉成しておく。そして、セキュリティ装置８を切り離したいときは、開閉スイッチ２０を閉成して外線接続板１０ａと内線接続板１０ｂとを短絡すればよい。
【００２７】
なお、外線接続板１０ａと中間接続板１０ｃとの間に第３の開閉スイッチを介在した第３の接続ラインを設けておけば、前述した接続態様でスプリッタ７とセキュリティ装置８とを接続した状態からセキュリティ装置の接続状態を変更することなくスプリッタのみを取り外すことも可能になるが、そのような必要が生ずる場合は殆どないと考えられる。
【００２８】
図４はこの発明の電話機接続装置の第３実施例を示した図で、図３の装置の右又は左側半分の部品構成からなるものであり、図２の装置から中間接続板１０ｃを除いた構成のものである。この第３実施例の構造では、データ通信とセキュリティサービスを共に利用しないとき、およびそのいずれか一方を利用するときは、第１実施例と同様な接続とするが、その両方を使用するときは、スプリッタの音声ポート７ｔとセキュリティ装置の外線ポート８ｌとを別個のケーブルで直接接続して使用する。
【図面の簡単な説明】
【００２９】
【図１】この発明の電話機接続装置を用いた宅内電話配線のブロック図
【図２】第１実施例の電話機接続装置を示す図
【図３】第２実施例の電話機接続装置を示す図
【図４】第３実施例の電話機接続装置を示す図
【符号の説明】
【００３０】
11a  外線接続口
11b  内線接続口
11aA  外線側カスケード機器接続口
11cA  内線側カスケード機器接続口
11cB  第２の外線側カスケード機器接続口
12a  内部配線
12c  内部配線
20  開閉スイッチ
21  接続ライン
30  第２の開閉スイッチ
31  第２の接続ライン
【図１】
0004638365.tif 000002
【図２】
0004638365.tif 000003
【図３】
0004638365.tif 000004
【図４】
0004638365.tif 000005